(57)【要約】【課題】      側方から又は上方から把持した際に指を滑らすことなく確実に把持でき、しかも実質的に紙のみからなることから、低コストで製造し得ると共に、使用後に廃棄する際にも手数を要したり環境を害したりすることのない粉状洗剤用紙容器を提供することを目的とする。【解決手段】  上面が開口した直方体状の箱体と、該箱体の開口を覆い得る蓋体とを有し、蓋体の少なくとも一部が箱体の背面板にヒンジ結合され、蓋体の正面板と箱体の正面板とに蓋体を固定する係止部を有する紙容器であって、箱体の正面板及び背面板における、紙容器を側方から把持した際に指がふれる側方把持予定部、及び、紙容器を上方から把持した際に指がふれる上方把持予定部に滑り止め加工部を設けた粉状洗剤用紙容器とする。【選択図】    図１
2006160299.tif 000002
【特許請求の範囲】
【請求項１】
上面が開口した直方体状の箱体と、該箱体の開口を覆い得る蓋体とを有し、蓋体の少なくとも一部が箱体の背面板にヒンジ結合され、蓋体の正面板と箱体の正面板とに蓋体を固定する係止部を有する紙容器であって、紙容器の正面板及び背面板における、紙容器を側方から把持した際に指が触れる側方把持予定部、及び、紙容器を上方から把持した際に指が触れる上方把持予定部に滑り止め加工部を設けた粉状洗剤用紙容器。
【請求項２】
前記紙容器における側方把持予定部が、箱体の正面板及び背面板における左右側部であって、前記紙容器の正面板における上方把持予定部が、箱体の正面板の上方中央部、及び／又は蓋体の正面板の中央部であって、前記紙容器の背面板における上方把持予定部が、箱体と蓋体の背面板におけるヒンジ結合部の中央近傍部である請求項１記載の粉状洗剤用紙容器。
【請求項３】
滑り止め加工部が箱体及び蓋体の構成材料をエンボス加工することにより形成されている請求項１に記載の粉状洗剤用紙容器。
【請求項４】
滑り止め加工部が箱体及び蓋体の構成材料表面より摩擦係数の大きい部材を貼付又は塗工することにより形成されている請求項１に記載の粉状洗剤用紙容器。
【請求項５】
箱体の正面板と背面板の左右端近傍の滑り止め加工部が、縦方向の罫線から生産ラインのフリーローラーを使用する工程でガイドに掛かる位置を除いて設けられた請求項１〜４のいずれかに記載の粉状洗剤用紙容器。
【発明の詳細な説明】
【技術分野】
【０００１】
本発明は、粉状洗剤用紙容器に関し、詳しくは、側方から又は上方から把持した際に指を滑らすことなく確実に把持でき、しかも実質的に紙のみからなることから、低コストで製造し得ると共に、使用後に廃棄する際にも手数を要したり環境を害したりすることのない粉状洗剤用紙容器に関する。
【背景技術】
【０００２】
一般家庭で使用する粉状洗剤は、５００ｇ〜２．５ｋｇ程度の量ずつ、直方体状の箱体と扁平直方体状の蓋体とがヒンジ結合した紙容器に収納された形で販売され、使用されていたが、購入後の持ち帰り時及び使用時の持ち運びを容易にするため、プラスチック製の吊り手が、箱体又は蓋体の両側面板に両端を固定される形で取り付けられていた。
【０００３】
しかし、このような吊り手を取り付けると、それだけ製造コストがかかり、しかも、箱体及び蓋体とは異なる材料であるプラスチック製であるため、容器を廃棄する際には取り外して、分別廃棄する必要があり、また環境を害する恐れもある。
それ故、吊り手を付けない、実質的に紙のみからなる容器が使用されるようになってきているが、通常、紙容器の表面には、情報表示のための印刷や摩擦保護のためのニス等が塗布されていて滑り易く、相当量の洗剤が入った状態の容器を確実に把持することは困難であった。
【０００４】
吊り手や把手の無い紙容器を確実に把持するため、容器の表面に複数の凸凹部を設けて滑りにくくする試みは、従来より提案されている（例えば、特許文献１及び２参照）が、いずれも牛乳パックのような形状の容器であって、容器を傾けて内容物を取り出す形のものであり、計量スプーンで取り出すタイプの粉状洗剤用紙容器にこれらの提案をそのまま適用することはできない。
【０００５】
【特許文献１】特開２００３−２７６７２５号公報
【特許文献２】特開２００４−１０１２３号公報
【発明の開示】
【発明が解決しようとする課題】
【０００６】
本発明は、上記背景技術の問題点に鑑み、側方から又は上方から把持した際に指を滑らすことなく確実に把持でき、しかも実質的に紙のみからなることから、低コストで製造し得ると共に、使用後に廃棄する際にも手数を要したり環境を害したりすることのない粉状洗剤用紙容器を提供することを目的とする。
【課題を解決するための手段】
【０００７】
本発明者らは、紙容器の側方から又は上方から把持した際に指が触れる箇所に滑り止め加工部を設けることによりその課題を解決しうることを見出した。本発明は、かかる知見に基いてなされたものである。
即ち本発明は、
上面が開口した直方体状の箱体と、該箱体の開口を覆い得る蓋体とを有し、蓋体の少なくとも一部が箱体の背面板にヒンジ結合され、蓋体の正面板と箱体の正面板とに蓋体を固定する係止部を有する紙容器であって、紙容器の正面板及び背面板における、紙容器を側方から把持した際に指が触れる側方把持予定部、及び、紙容器を上方から把持した際に指が触れる上方把持予定部に滑り止め加工部を設けた粉状洗剤用紙容器
である。
【発明の効果】
【０００８】
本発明の粉状洗剤用容器は、側方から又は上方から把持した際に指を滑らすことなく確実に把持でき、しかも、低コストで製造し得ると共に、使用後に廃棄する際にも手数を要したり環境を害したりすることのないものである。
【発明を実施するための最良の形態】
【０００９】
図１は、本発明の粉状洗剤用紙容器の１態様の開封前の状態を示す斜視図であり、図２は、図１と同じ状態を背面方向から示す斜視図であり、図３は、図１の状態から開封をして蓋体を開けた時の状態を示す斜視図であり、図４は、図３の状態から蓋体を閉じて、且つ側方から把持した状態を示す斜視図である。
図１〜４に示すように、紙容器１は上面が開口した直方体状の箱体２と該箱体２の開口を覆い得る下面が開口した扁平直方体状の蓋体３とを有しており、箱体２は正面板２１、背面板２２及び側面板２３、２４を、蓋体３は、正面板３１、背面板３２及び側面板３３、３４を、各々有しており、蓋体３の背面板３２の一部４が箱体の背面板２２にヒンジ結合している。
紙容器１の正面には、箱体２の正面板２１に設けた係止穴２５と、蓋体３の正面板３１に設けた係止片３５とよりなる係止部を形成している。なお、係止部を設ける位置は中央の１箇所である必要は無く、両側に２箇所あってもよいし、係止の方式も、図１に示したような係止舌片の形状とし、それを折り曲げて、下方から係止穴に差し込む方式や、その他、従来採用されている方式のいずれもが、使用可能である。
【００１０】
紙容器１は、箱体２に粉状洗剤を充填し、上面の開口に封緘紙６を、箱体２の開口縁部、及び／又は正面板２１、背面板２２及び側面板２３、２４の全開口縁部の外側面に一定幅で貼付することにより密封し、その状態で蓋体３を被せる。図１に示した態様の場合、開封前の状態では、蓋体３の係止片３５は、箱体２の係止穴２５中に差し込むこと無く、箱体２の表面に重なる形で存在させる。この場合の蓋体３は、蓋体３の正面板裏面であって、箱体２の滑り止め加工部と重ならない位置にタックシールやホットメルト接着剤等を使用して箱体２に部分的に接着するか、表からシールで封緘して固定する。一方、図４に示す態様を開封前の状態とすることも可能であり、この態様では、蓋体３の係止片３５を箱体２の係止穴２５中に差し込んで蓋体３を固定し、さらに、係止片３５の裏面、又は表面にタックシールやホットメルト接着剤等を使用して箱体２に部分的に接着するか、表からシールで封緘して固定することができる。図４に示す態様を開封前の状態とする場合であっても、蓋体３の正面板裏面にタックシールやホットメルト接着剤等を使用して箱体２に蓋体３を固定することもできる。
粉状洗剤を使用するために開封する場合は、箱体２と部分的に接着した部分を引き剥がすか、シールを切って蓋体３を、ヒンジ結合部を介して回転させて、図３の如くに開け、更に封緘紙６を剥がして必要量の粉状洗剤を計量スプーン等ですくう等の手段で取り出す。
その後、蓋体３を箱体２に再び被せ、蓋体３の係止片３５を箱体２の係止穴２５中に差し込んで蓋体３を固定する。
【００１１】
粉状洗剤は、通常５００ｇ〜２．５ｋｇ、好ましくは１〜２ｋｇ程度の単位で紙容器１に包装されるが、側方又は上方からの把持を容易にするためには、紙容器１の天面短手方向の長さは、５０〜１００ｍｍの範囲であるのが好ましい。
紙容器１を構成する材料は、特に制約はないが、取り扱いの便宜上、坪量３５０〜７００ｇ／ｍ2、厚さ０．３〜１．１ｍｍであることが好ましい。
【００１２】
箱体２の正面板２１においては、左右端近傍に滑り止め加工部５１、５２を、上方中央部には滑り止め加工部５３を、各々設ける。
箱体２の背面板２２においては、左右端近傍に滑り止め加工部５４、５５を設ける。
蓋体３の正面板３１においては、中央部の係止片３５に滑り止め加工部５７を設ける。
更に、箱体２の背面板２２と蓋体３の背面板３２とのヒンジ結合部４の中央近傍に滑り止め加工部５６を設ける。
但し、前述のように、図４に示す態様を開封前の状態とする場合には、蓋体３の正面板３１の中央部の係止片３５の滑り止め加工部５７を必ずしも設ける必要はない。
【００１３】
滑り止め加工部５１、５２、５４及び５５は、開封前、開封後を問わず、紙容器１を側方から把持する際の指の滑りを防止するためのものであり、図４に示したように、紙容器１の正面右側から把持するときは、滑り止め加工部５１と５５の組み合わせで、紙容器１の正面左側から把持するときは、滑り止め加工部５２と５４の組み合わせで、各々機能する。
一方、滑り止め加工部５７は、開封前の紙容器１を上方から把持する際に指の滑りを防止するためのものであり、滑り止め加工部５３は、開封後の紙容器１を上方から把持する際の指の滑りを防止するためのものであり、滑り止め加工部５６は、開封前、開封後を問わず、紙容器１を上方から把持する際の指の滑りを防止するためのものである。即ち、開封前の個別購入後の持ち帰り時等において上方から把持する際には、専ら滑り止め加工部５６と５７とが機能し、開封後の使用時の持ち運び時等において上方から把持する際には、専ら滑り止め加工部５３と５６とが機能する。
但し、図４に示す態様を開封前の状態とする場合には、滑り止め加工部５３と滑り止め加工部５６が、開封前、開封後を問わず、紙容器１を上方から把持する際の滑りを防止するためのものとなる。
【００１４】
滑り止め加工部を設ける位置は、紙容器を側方から把持した際に指が触れる側方把持予定部及び上方から把持する際に指が触れる上方把持予定部であるが、紙容器の大きさや手の大きさ、指の長さ等を勘案する必要があり、一概に決めることはできない。
但し、確実に把持できるようにするためには、側方把持予定部が、箱体の正面板及び背面板における左右側部であって、上方把持予定部が、箱体の正面板の上方中央部、及び／又は蓋体の正面板の中央部と、箱体と蓋体の背面板におけるヒンジ結合部の中央近傍部である態様が好ましい。
また、使用者が変わっても確実に把持できるようにするためには、滑り止め加工部５１、５２、５４及び５５は、縦方向の罫線から４〜６０ｍｍの範囲内には存在することが好ましく、叉、滑り止め加工部５３、５６及び５７は、閉じた状態の蓋体の上端から４〜４０ｍｍの範囲内には存在することが好ましい。
【００１５】
指が触れない場所には、むろん滑り止め加工を施す必要はないが、滑り止め加工部と同じ状態となっていても差し支えなく、例えば、滑り止め加工部５１と５２と及び／又は滑り止め加工部５４と５５とを中央部で一体に繋げて同じ滑り止め加工部としても、又、箱体２の正面板２１及び／又は背面板２２の全面に同じ滑り止め加工を施しても、更に又、蓋体３の正面板３１及び／又は背面板３２の全面に同じ滑り止め加工を施しても差し支えない。加工性やコストを考慮すると、全面に同じ滑り止め加工を施す方が好ましい場合もあり、適宜選択すればよい。
【００１６】
但し、正面板２１の滑り止め加工部５１、５２及び背面板２２の滑り止め加工部５４、５５を左右の縦方向の罫線まで設けると、生産ラインのフリーローラーを使用する工程で、ガイドに滑り止め加工部が引っ掛かって流れを阻害する恐れがあるため、ガイドが掛かる位置を除いて、好ましくは、縦方向の罫線から４〜１０ｍｍ離して滑り止め部を設ける。
【００１７】
滑り止め部を設ける方法は、適宜選択できるが、箱体及び／又は蓋体の構成材料の、少なくとも滑り止め部を設けるべき部分をエンボス加工する方法、箱体及び蓋体の構成材料よりも摩擦係数の大きい部材を、少なくとも滑り止め部を設けるべき部分に貼付又は塗工する方法を例示することができる。この場合の、箱体及び蓋体の構成材料よりも摩擦係数の大きい部材としては、エンボス加工を施したテープや、各種粉末を配合した防滑塗料を例示することができる。
【実施例】
【００１８】
図１〜４に示した態様の紙容器を製作した。
箱体２の幅は１５０ｍｍ、奥行きは９０ｍｍ、高さは１４５ｍｍであり、該箱体の開口を覆い得る蓋体３の高さは２５ｍｍである。
滑り止め部５１、５２、５４、５５は、エンボス加工がされたテープ（以下「エンボステープ」）を幅６０ｍｍ、長さ１００ｍｍに切断したものを、縦方向の罫線から４ｍｍ、下端から４ｍｍ離して貼付することにより形成した。
滑り止め部５３は、上記エンボス加工テープを長軸４０ｍｍ、短軸３０ｍｍの楕円形に切断したものを、中央部で上端から１０ｍｍ離して貼付することにより形成した。
滑り止め部５６は、上記エンボス加工テープを長軸４０ｍｍ、短軸３０ｍｍの楕円形に切断したものを、中央部で上端から５ｍｍ離して貼付することにより形成した。
滑り止め部５７は、上記エンボス加工テープを長軸４０ｍｍ、短軸３０ｍｍの楕円形に切断したものを、係止片の中央部で上端から５ｍｍ離して貼付することにより形成した。
この紙容器に粉状洗剤を充填して、総重量を１．６ｋｇとし、平均的な手のサイズの成人女性が、上方及び側方から把持したが、何れの方向でも、確実に把持することができた。
【産業上の利用可能性】
【００１９】
本発明の粉状洗剤用紙容器は、取り扱いが容易で、使用後に廃棄する際にも手数を要したり環境を害したりすることのないものであり、家庭用の粉状洗剤用容器として広く用いることができる。
【図面の簡単な説明】
【００２０】
【図１】本発明の粉状洗剤用紙容器の１態様の開封前の状態を示す斜視図
【図２】図１と同じ状態を背面方向から示す斜視図
【図３】図１の状態から開封をして蓋体を開けた時の状態を示す斜視図
【図４】図３の状態から蓋体を閉じて、且つ側方から把持した状態を示す斜視図
【符号の説明】
【００２１】
１    紙容器
２    箱体
２１  箱体の正面板
２２  箱体の背面板
２３、２４  箱体の側面板
２５  係止穴
３    蓋体
３１  蓋体の正面板
３２  蓋体の背面板
３３、２４  蓋体の側面板
３５  係止片
４    ヒンジ結合部
５１、５２、５３、５４、５５、５６、５７  滑り止め加工部
６    封緘紙
【図１】
2006160299.tif 000003
【図２】
2006160299.tif 000004
【図３】
2006160299.tif 000005
【図４】
2006160299.tif 000006